(57)【要約】【課題】  各々の画像に対して利用されたガイダンスを容易に判別する技術を提供する。【解決手段】  操作の手順に相当する複数のガイダンスから１つを指定し、報知手段に、指定されたガイダンスを報知させ、画像データを取得し、前記ガイダンスの報知に伴い、前記取得手段により取得された画像データと前記ガイダンスを表すデータとを対応付けて記憶媒体に記憶させる。【選択図】  図１
2010109886.tif 000002
【特許請求の範囲】
【請求項１】
操作の手順に相当する複数のガイダンスから１つを指定する指定手段と、
報知手段に、指定されたガイダンスを報知させる報知制御手段と、
画像データを取得する取得手段と、
前記ガイダンスの報知に伴い、前記取得手段により取得された画像データと前記ガイダンスを表すデータとを対応付けて記憶媒体に記憶させる記憶制御手段と
を備える情報処理装置。
【請求項２】
前記報知手段に報知させるガイダンスには、撮像の操作手順が含まれることを特徴とする請求項１に記載の情報処理装置。
【請求項３】
前記記憶制御手段は、更に、操作手順の進捗を示す情報を画像データに対応付けて記憶媒体に記憶させることを特徴とする請求項２に記載の情報処理装置。
【請求項４】
前記報知手段はディスプレイまたはスピーカであることを特徴とする請求項１乃至請求項３のいずれか１項に記載の情報処理装置。
【請求項５】
前記記憶制御手段は、前記画像データのファイル名と前記ガイダンスを表すＩＤとを対応付けてテーブルに格納し、当該テーブルを記憶媒体に記憶させることを特徴とする請求項１乃至請求項４のいずれか１項に記載の情報処理装置。
【請求項６】
前記記憶制御手段は、前記画像データのファイル名と前記ガイダンスを表すＩＤと操作手順の進捗を示す情報とを対応付けてテーブルに格納し、当該テーブルを記憶媒体に記憶させることを特徴とする請求項３または請求項４に記載の情報処理装置。
【請求項７】
前記記憶制御手段は、前記画像データの付加情報として、前記ガイダンスを表すＩＤを記憶させることを特徴とする請求項１乃至請求項４のいずれか１項に記載の情報処理装置。
【請求項８】
前記記憶制御手段は、前記画像データの付加情報として、前記ガイダンスを表すＩＤと操作手順の進捗を示す情報とを記憶させることを特徴とする請求項３または請求項４に記載の情報処理装置。
【請求項９】
撮像および編集の操作手順を含むガイダンスを表すＩＤが付与された画像データを入力する入力手段と、
入力された画像データを編集する編集手段と、
前記編集手段による編集に伴い、前記ＩＤに相当するガイダンスのうち、前記編集の手順に相当するガイダンスを、報知手段に報知させる報知制御手段と
を備える情報処理装置。
【請求項１０】
前記入力手段に、撮像および編集の操作手順の進捗を示す情報が付与された画像データが入力された場合、
前記報知制御手段は、入力された操作手順の進捗を示す情報に従って、前記画像データを撮像および編集する操作手順のうち、既に報知された操作手順に相当するガイダンスは、報知手段に報知させず、未だ報知されていない操作手順に相当するガイダンスを、報知手段に報知させることを特徴とする請求項９に記載の情報処理装置。
【請求項１１】
画像データと該画像データを撮像および編集する操作手順を含むガイダンスを表す情報とを入力する入力手段と、
入力された画像データを編集する編集手段と、
前記編集手段による編集に伴い、前記情報に相当するガイダンスのうち、前記編集の手順に相当するガイダンスを、報知手段に報知させる報知制御手段と
を備える情報処理装置。
【請求項１２】
前記入力手段に、画像データと該画像データを撮像および編集する操作手順を含むガイダンスを表す情報と、撮像および編集の操作手順の進捗を示す情報が入力された場合、
前記報知制御手段は、入力された操作手順の進捗を示す情報に従って、前記画像データを撮像および編集する操作手順のうち、既に報知された操作手順に相当するガイダンスは、報知手段に報知させず、未だ報知されていない操作手順に相当するガイダンスを、報知手段に報知させることを特徴とする請求項１１に記載の情報処理装置。
【請求項１３】
操作の手順を報知するガイダンスを備える情報処理装置の制御方法であって、
操作の手順に相当する複数のガイダンスから１つを指定する指定工程と、
報知手段に、指定されたガイダンスを報知させる報知制御工程と、
画像データを取得する取得工程と、
前記ガイダンスの報知に伴い、前記取得工程により取得された画像データと前記ガイダンスを示すデータとを対応付けて記憶媒体に記憶させる記憶制御工程と
を有する制御方法。
【請求項１４】
撮像および編集の操作手順を報知するガイダンスを備える情報処理装置の制御方法であって、
撮像および編集の操作手順を含むガイダンスを表すＩＤが付与された画像データを入力する入力工程と、
入力された画像データを編集する編集工程と、
前記編集工程による編集に伴い、前記ＩＤに相当するガイダンスのうち、前記編集の手順に相当するガイダンスを、報知手段に報知させる報知制御工程と
を実行させる制御方法。
【請求項１５】
撮像および編集の操作手順を報知するガイダンスを備える情報処理装置の制御方法であって、
画像データと該画像データを撮像および編集する操作手順を含むガイダンスを表す情報とを入力する入力工程と、
入力された画像データを編集する編集工程と、
前記編集工程による編集に伴い、前記情報に相当するガイダンスのうち、前記編集の手順に相当するガイダンスを、報知手段に報知させる報知制御工程と
を実行させる制御方法。
【請求項１６】
請求項１３または請求項１５に記載の情報処理方法をコンピュータに実行させるためのプログラム。
【請求項１７】
請求項１６に記載のプログラムを記憶した記憶媒体。
【発明の詳細な説明】
【技術分野】
【０００１】
本発明は、ユーザに対して、操作の手順を報知するための技術に関する。
【背景技術】
【０００２】
近年、デジタルカメラの機能が拡充してきたことに伴い、デジタルカメラを操作する手順は複雑化している。
【０００３】
そして、操作の手順の複雑化に対応するために、ユーザに操作の手順を報知する機能（以下、ガイダンス機能とする）を備えるデジタルカメラが知られている。
【０００４】
このガイダンス機能を利用して花火を撮像する場合、まず、ユーザは複数の種類のガイダンスから花火を好適に撮像ためのガイダンスを選択する。
【０００５】
次に、ユーザは選択されたガイダンスに沿って、デジタルカメラのパラメータを設定し、適切な撮像姿勢をとる。
【０００６】
最後に、ユーザが撮像するための操作を行うことで、花火を好適に撮像することが可能となる。
【０００７】
また、特許文献１には、機器から呈示されたアドバイスによって、ユーザの操作を誘導し、洗練されたメディア作品を製作させる技術が開示されている。
【０００８】
以上のことより、ユーザは適当なガイダンスを選択し、選択されたガイダンスに沿った操作を行うことによって、所望する画像を得ることが可能となる。
【特許文献１】特開２００３−７８８６８号公報
【発明の開示】
【発明が解決しようとする課題】
【０００９】
しかしながら、従来、ガイダンス機能は、デジタルカメラ等の機器に備えられた機能であるため、撮像された画像がどのガイダンスを利用して撮像されたか判断することは難しかった。
【００１０】
また、撮像した画像をパーソナルコンピュータ（ＰＣ）やセットトップボックス（ＳＴＢ）を用いて処理をする場合がある。
【００１１】
即ち、複数の機器を利用して所望する画像を得るための処理を行う場合がある。
【００１２】
これに対して、従来、処理の対象となる画像がどのガイダンスに従って撮像されたかという情報を、ＰＣやＳＴＢを用いて判別することは難しかった。
【００１３】
しかし、ＰＣやＳＴＢを用いて、どのガイダンスに従って撮像されたか判別できると、例えば、撮像された画像の中にユーザが気に入った画像があった場合、どのような操作手順を踏めば同様の画像を得ることができるか確認することが可能となる。
【００１４】
本発明は、係る従来技術に鑑みてなされたものであり、各々の画像に対して利用されたガイダンスを容易に判別する技術を提供することを目的とする。
【課題を解決するための手段】
【００１５】
上記課題を解決するために、本発明に係る情報処理装置は、操作の手順に相当する複数のガイダンスから１つを指定する指定手段と、報知手段に、指定されたガイダンスを報知させる報知制御手段と、画像データを取得する取得手段と、
前記ガイダンスの報知に伴い、前記取得手段により取得された画像データと前記ガイダンスを表すデータとを対応付けて記憶媒体に記憶させる記憶制御手段とを備える。
【発明の効果】
【００１６】
本発明によれば、各々の画像に対して利用されたガイダンスを容易に判別することが可能となる。
【発明を実施するための最良の形態】
【００１７】
以下、図面を参照しながら本発明に好適な実施形態について説明していく。
【００１８】
（第１の実施例）
図１は、第１の実施例に係る情報処理装置の一例を示す機能ブロック図である。
【００１９】
上記情報処理装置１０１は、撮像制御部１０５、記憶制御部１０６、チュートリアル制御部１０８、出力制御部１１０を備える。
【００２０】
尚、チュートリアルとは、ユーザに操作する手順を報知するガイダンスに相当する。
【００２１】
また、情報処理装置１０１には、レンズ１０２、ディスプレイ１０３、スピーカ１０４、画像データを記憶するための記憶媒体１０７、ボタン１０９、チュートリアルデータを記憶するための記憶媒体１１１が接続されている。
【００２２】
尚、チュートリアルデータとは、複数の種類のガイダンスが情報処理装置１０１に読み取り可能なプログラムコードの形態で格納されているデータのことをいう。
【００２３】
尚、上記の各部を１つの機器内に備えるものとして、例えばデジタルカメラ等が想定される。
【００２４】
従って、レンズ１０２、ディスプレイ１０３、スピーカ１０４、画像データを記憶するための記憶媒体１０７、ボタン１０９、チュートリアルデータを記憶するための記憶媒体１１１は、情報処理装置１０１の外部に存在しても、内部に存在してもよい。
【００２５】
以下、情報処理装置１０１がデジタルカメラである場合について、説明する。
【００２６】
レンズ１０２は、集光された光を、不図示の撮像素子に結像させる。
【００２７】
ディスプレイ１０３は、ＣＲＴやＬＣＤ等で構成され、画像、文字等を表示することによって、例えば、ユーザに操作する手順を報知する。
【００２８】
スピーカ１０４は、音を出力することによって、例えば、ユーザに操作する手順を報知する。
【００２９】
ボタン１０９は、例えば、複数のガイダンスからユーザに報知する１つのガイダンスを指定する操作の入力を受付ける。
【００３０】
記憶媒体１０７は、ＲＡＭ、ハードディスク等によって構成され、画像を表すデータ、画像に付加される情報等を保持する。
【００３１】
記憶媒体１１１は、ＲＡＭ、ハードディスク等によって構成され、チュートリアルデータを保持する。
【００３２】
尚、本実施例において、記憶媒体１０７と記憶媒体１１１とは別に存在しているが、１つの記憶媒体に記憶媒体１０７に相当する記憶領域と記憶媒体１１１に相当する記憶領域とを備えていてもよい。
【００３３】
撮像制御部１０５は、レンズ１０２の処理を制御すると共に、撮像素子に結像された光をＡ／Ｄ変換して記憶制御部１０６に画像を表すデータを出力する。
【００３４】
記憶制御部１０６は、入力された画像を表すデータ、画像に付加された情報等を記憶媒体１０７に記憶させる。
【００３５】
チュートリアル制御部１０８は、ボタン１０９を介して入力された操作に基づいて、ユーザに報知するガイダンスを指定し、記憶媒体１１１に記憶されたチュートリアルデータから、指定されたガイダンスに対応するデータを読み出し、実行する。
【００３６】
また、チュートリアル制御部１０８は、実行結果に相当するデータを出力制御部１１０に出力する。
【００３７】
尚、実行結果に相当するデータとは、操作手順を示す情報と、出力装置としてディスプレイ１０３を用いるかスピーカ１０４を用いるか指定する情報を含む。
【００３８】
出力制御部１１０は、出力装置としてディスプレイ１０３を用いる場合、チュートリアル制御部１０８から出力されたデータを読み込み、映像信号に変換してディスプレイ１０３に出力する。
【００３９】
また、出力制御部１１０は、報知装置としてスピーカ１０４を用いる場合、チュートリアル制御部１０８から出力されたデータを読み込み、音響信号に変換してスピーカ１０４に出力する。
【００４０】
即ち、出力制御部１１０は、上記報知装置の動作を制御する。
【００４１】
尚、撮像制御部１０５、記憶制御部１０６、チュートリアル制御部１０８、出力制御部１１０は、モジュールである。
【００４２】
上記のモジュールは、ＣＰＵによってＲＯＭに格納されたプログラムがＲＡＭに展開され、実行されることで、その機能を実現する。
【００４３】
即ち、撮像制御部１０５、記憶制御部１０６、チュートリアル制御部１０８、出力制御部１１０は、ＣＰＵ、ＲＯＭ、ＲＡＭ等によって構成される。
【００４４】
次に、複数の種類のガイダンスから報知するガイダンスを選択する操作について説明する。
【００４５】
図２は、情報処理装置１０１に相当するデジタルカメラの操作部（ボタン１０９）とディスプレイ１０３の具体的な例を示す図である。
【００４６】
図２（ａ）は、ディスプレイ１０３に、複数の種類のガイダンスが一覧表示されている場合のデジタルカメラの操作部（ボタン１０９）とディスプレイ１０３の具体的な例を示す図である。
【００４７】
図２（ｂ）は、ディスプレイ１０３に、指定されたガイダンスが表示されている場合のデジタルカメラの操作部（ボタン１０９）とディスプレイ１０３の具体的な例を示す図である。
【００４８】
２０１、２０６はデジタルカメラ本体、２０２、２０７はディスプレイ１０３に表示される画面、２０４、２０５はボタン１０９である。
【００４９】
ディスプレイ１０３に画面２０２が表示されている場合、ボタン２０４を操作すると、該ボタンの操作に連動して、画面２０２を構成する矩形の画像２０３が移動する。
【００５０】
この矩形の画像２０３を、リストとして表示されている複数の種類のガイダンスの１つに合わせ、ボタン２０５を操作することで、利用するガイダンスが指定される。
【００５１】
ガイダンスが指定されると、ディスプレイ１０３に画面２０７が表示され、ユーザに対して、操作手順が報知される。
【００５２】
尚、ガイダンスが選択された場合、チュートリアル制御部１０８から記憶制御部１０６に選択されたガイダンスを表す信号が出力される。
【００５３】
尚、本実施例において、選択されたガイダンスを表す信号とは、複数の種類のガイダンスから１つのガイダンスを判別するＩＤ（以下、チュートリアルＩＤとする）を示す信号とする。
【００５４】
尚、このチュートリアルＩＤは複数の種類のガイダンスと一対一の関係で対応付けられている。
【００５５】
次に、ガイダンスが報知された場合に、撮像された画像を記憶する処理について説明する。
【００５６】
撮像されると記憶制御部１０６には画像を表すデータが入力される。
【００５７】
一方で、前述したように、記憶制御部１０６には、チュートリアルＩＤを示す信号が入力される。
【００５８】
このとき、記憶制御部１０６は、画像を表すデータを記憶媒体１０７に記憶させるとともに、記憶媒体１０７に記憶された画像の付加情報を管理するテーブルに、当該画像の名称（ファイル名）と、チュートリアルＩＤを対応付けて記憶させる。
【００５９】
図３は、画像の付加情報を管理するテーブルを示している。
【００６０】
図３において、テーブル３０１は、ファイル名を格納する領域３０２と、チュートリアルＩＤを格納する領域３０３とを有する。
【００６１】
尚、図３において、画像「００１．ｊｐｇ」にはチュートリアルＩＤ「ＴＵＴＯＲＩＡＬ０１」が対応付けられ、画像「００６．ｊｐｇ」にはチュートリアルＩＤ「ＴＵＴＯＲＩＡＬ０５」が対応付けられている。
【００６２】
即ち、画像「００１．ｊｐｇ」はチュートリアルＩＤ「ＴＵＴＯＲＩＡＬ０１」が対応付けられたガイダンスが報知された場合に撮像された画像であることが分かる。
【００６３】
また、画像「００６．ｊｐｇ」はチュートリアルＩＤ「ＴＵＴＯＲＩＡＬ０５」が対応付けられたガイダンスが報知された場合に撮像された画像であることが分かる。
【００６４】
これによって、各々の画像に対して利用したガイダンスを容易に判別することが可能となる。
【００６５】
次に、本実施例に係る情報処理装置における処理の流れを説明する。
【００６６】
図４は、本実施例に係る情報処理装置において、撮像された画像にチュートリアルＩＤを対応付ける処理を示すフローチャートである。
【００６７】
ステップＳ４０１において、チュートリアル制御部１０８は、ユーザがボタン１０９を操作する信号が取得されたか否か判断し、信号が取得されなかった場合、一連の処理を終了する。
【００６８】
一方、ステップＳ４０１において、信号が取得された場合、ステップＳ４０２の処理を実行する。
【００６９】
ステップＳ４０２において、チュートリアル制御部１０８は、取得された信号がガイダンスの開始を指示する信号か否か判断し、ガイダンスの開始を指示する信号でない場合、ステップＳ４０４において、操作信号に応じた処理を実行し、一連の処理を終了する。
【００７０】
一方、ステップＳ４０２において、ガイダンスの開始を指示する信号である場合、ステップＳ４０３の処理を実行する。
【００７１】
ステップＳ４０３においては、チュートリアル制御部１０８は出力制御部１１０にガイダンスを実行するための信号を出力し、記憶制御部１０６にチュートリアルＩＤを示す情報を出力する。
【００７２】
尚、ガイダンスを実行するとは、例えば、図２（ｂ）に示されているように、ディスプレイ１０３に画面２０７が表示させることを示す。
【００７３】
次に、ステップＳ４０５において、チュートリアル制御部１０８は、ガイダンスを終了するか否か判断し、終了すると判断した場合、一連の処理を終了する。
【００７４】
一方，ステップＳ４０５において、ガイダンスを終了しないと判断した場合、ステップＳ４０６の処理を実行する。
【００７５】
ステップＳ４０６において、チュートリアル制御部１０８、撮像制御部１０５は連動して、撮像を指示する信号が入力されたか否か判断し、撮像を指示する信号が入力されなかった場合、ステップＳ４０５の処理を繰り返す。
【００７６】
一方、撮像を指示する信号が入力された場合、ステップＳ４０７において、撮像制御部１０５は被写体を撮像し、撮像された画像を表すデータを記憶制御部１０６に出力する。
【００７７】
次に、ステップＳ４０８において、記憶制御部１０６は、撮像された画像を表すデータにチュートリアルＩＤを対応付けて記憶媒体１０７に記憶させる。
【００７８】
尚、画像を表すデータにチュートリアルＩＤを対応付けて記憶媒体１０７に記憶させるとは、図３に示したように、画像の付加情報を管理するテーブルに画像の名称（ファイル名）と、チュートリアルＩＤとを対応付けて格納することをいう。
【００７９】
これによって、各々の画像に対して、利用したガイダンスを容易に判別することが可能となる。
【００８０】
次に、各々の画像に対応付けられたチュートリアルＩＤをガイダンスの参照に利用する場合について説明する。
【００８１】
以下、記憶媒体に記憶された画像の１つを選択し、選択された画像に対応付けられたチュートリアルＩＤを読み出し、ガイダンスを実行する例について説明する。
【００８２】
図５は、チュートリアルＩＤを読み出し、ガイダンスを実行する情報処理装置の一例を示す機能ブロック図である。
【００８３】
上記情報処理装置５００は、取得制御部５０１、読み取り制御部５０２、出力制御部５０３を備える。
【００８４】
また、情報処理装置５００には、記憶媒体５０４、記憶媒体５０５、ディスプレイ５０６、スピーカ５０７が接続されている。
【００８５】
尚、上記の各部の少なくとも１つを機器の外部に備えるものとして、例えばセットトップボックス（ＳＴＢ）、パーソナルコンピュータ等が想定される。
【００８６】
また、上記の各部を１つの機器内に備えるものとして、例えばデジタルカメラ等が想定される。
【００８７】
従って、記憶媒体５０４、記憶媒体５０５、ディスプレイ５０６、スピーカ５０７は、情報処理装置５００の外部に存在しても、内部に存在してもよい。
【００８８】
以下、情報処理装置５００がＳＴＢである場合について、説明する。
【００８９】
ディスプレイ５０６は、ＣＲＴやＬＣＤ等で構成され、画像、文字等を表示することによって、例えば、画像に対応付けられたガイダンスを報知する。
【００９０】
スピーカ５０７は、音を出力することによって、例えば、画像に対応付けられたガイダンスを報知する。
【００９１】
記憶媒体５０４は、ＲＡＭ、ハードディスク等によって構成され、画像を表すデータ、画像の付加情報等を記憶する。
【００９２】
記憶媒体５０５は、ＲＡＭ、ハードディスク等によって構成され、チュートリアルデータを記憶する。
【００９３】
尚、本実施例において、記憶媒体５０４と記憶媒体５０５とは別に存在しているが、１つの記憶媒体に記憶媒体５０４に相当する記憶領域と記憶媒体５０５に相当する記憶領域とを備えていてもよい。
【００９４】
尚、記憶媒体５０４は、図１の記憶媒体１０７であってもよい。
【００９５】
記憶媒体５０４が記憶媒体１０７である場合、図８のような構成となる。
【００９６】
図８は、情報処理装置１０１と情報処理装置５００が記憶媒体８０３を介して接続されたシステムの構成を示す機能ブロック図である。
【００９７】
尚、情報処理装置１０１は第１の情報処理装置８０１、情報処理装置５００は第２の情報処理装置８０２に相当する。
【００９８】
取得制御部５０１は、記憶媒体５０４から画像を表すデータを取得する。
【００９９】
尚、画像を表すータを取得する場合には、不図示の操作部を用いて、ユーザが所望する画像を選択することによって、当該画像を表すデータを取得する。
【０１００】
読み取り制御部５０２は、取得制御部５０１によって取得された画像を表すデータからチュートリアルＩＤを読み出し、出力制御部５０３に出力する。
【０１０１】
出力制御部５０３は、読み取り制御部５０２で読み出されたチュートリアルＩＤに対応するガイダンスを、画像信号に変換してディスプレイ５０６に出力する。
【０１０２】
また、出力制御部５０３は、読み取り制御部５０２で読み出されたチュートリアルＩＤに対応するガイダンスを、音声信号に変換してスピーカ５０７に出力する。
【０１０３】
尚、取得制御部５０１、読み取り制御部５０２、出力制御部５０３は、モジュールである。
【０１０４】
上記のモジュールは、ＣＰＵによってＲＯＭに格納されたプログラムがＲＡＭに展開され、実行されることで、その機能を実現する。
【０１０５】
即ち、取得制御部５０１、読み取り制御部５０２、出力制御部５０３は、ＣＰＵ、ＲＯＭ、ＲＡＭ等によって構成される。
【０１０６】
図６は、情報処理装置５００において、画像に対応付けられたチュートリアルＩＤを読み出し、ガイダンスを実行するフローチャートである。
【０１０７】
ステップＳ６０１において、取得制御部５０１は、操作部を操作する信号が取得されたか否か判断し、信号が取得されなかった場合、一連の処理を終了する。
【０１０８】
一方、ステップＳ６０１において、信号が取得された場合、ステップＳ４０２の処理を実行する。
【０１０９】
ステップＳ６０２において、取得制御部５０１は、取得された信号が画像を表すデータを選択する信号か否か判断し、画像を表すデータを選択する信号でない場合、ステップＳ６０４において、操作信号に応じた処理を実行し、一連の処理を終了する。
【０１１０】
一方、ステップＳ６０２において、画像を表すデータを選択する信号である場合、ステップＳ６０３の処理を実行する。
【０１１１】
尚、画像を表すデータを選択する信号とは、例えば、以下の処理を実行した場合に出力される信号である。
【０１１２】
即ち、情報処理装置５００が図７に示す画像ビューア７０１のようなアプリケーションを搭載している場合、このアプリケーションのＧＵＩ上で、特定の画像のサムネイル７０２を操作部に相当するマウスポインタ７０３で右クリックする。
【０１１３】
更に、右クリックをしたことによって表示されたコンテキストメニュー７０４から“復習チュートリアル”の項目を選択する操作を行った場合に出力される信号である。
【０１１４】
また、画像を表すデータを選択する信号は、画像を表すデータに付与されたチュートリアルＩＤを選択する信号であってもよい。
【０１１５】
次に、ステップＳ６０３において、読み取り制御部５０２、出力制御部５０３は連動して、画像を表すデータからチュートリアルＩＤを示す情報を読み取り、読み取られたチュートリアルＩＤが対応付けられたガイダンスを実行する。
【０１１６】
尚、図３に示されたテーブルを用いてステップＳ６０３の処理を説明すると、画像「００３．ｊｐｇ」を表すデータを選択した場合、チュートリアルＩＤ「ＴＵＴＯＲＩＡＬ０２」が選択され、当該チュートリアルＩＤに対応するガイダンスが実行される。
【０１１７】
次に、ステップＳ６０５において、出力制御部５０３は、ガイダンスを終了するか否か判断し、終了すると判断した場合、一連の処理を終了する。
【０１１８】
一方，ステップＳ６０５において、ガイダンスを終了しないと判断した場合、ガイダンスを実行した状態で待機する。
【０１１９】
これによって、撮像された画像と同様の画像を得るためにはどのような操作手順を踏むと好適であるか知ることができる。
【０１２０】
次に、各々の画像に対応付けられたチュートリアルＩＤを当該画像の編集に利用する場合について説明する。
【０１２１】
これは、例えば、デジタルカメラが備えるパノラマ写真を取得する機能を利用する場合に好適である。以下、この事例について詳細に説明する。
【０１２２】
尚、パノラマ写真とは、複数の画像をつなぎ合わせて作成された通常よりも縦長または横長の写真をいう。
【０１２３】
ユーザがパノラマ写真を得ようとした場合、撮像に関する処理、編集に関する処理等が必要となり、ユーザは処理が複雑であると感じる場合がある。
【０１２４】
そして、この処理の複雑さを軽減する方法として、ユーザにパノラマ写真を得るためのガイダンスを示す方法が考えられる。
【０１２５】
しかし、撮像に関する処理と、編集に関する処理とを１つの装置で実行させるとは限らない。
【０１２６】
つまり、パノラマ写真を得るためのガイダンスのうち、撮像に関するガイダンスは実行できるものの、編集に関するガイダンスを実行できない場合がある。
【０１２７】
そこで、パノラマ写真を構成する複数の画像を撮像する際には、ユーザに撮像に関するガイダンスを示し、撮像された画像を表すデータとチュートリアルＩＤとを対応付けて記憶させる。
【０１２８】
一方、パノラマ写真を構成する複数の画像を編集する際には、画像を表すデータに対応付けられたチュートリアルＩＤを読み取り、ユーザに編集に関するガイダンスを示す方法が考えられる。
【０１２９】
この方法を実現するためには、画像を表すデータに対して、チュートリアルＩＤが対応付けられている必要がある。
【０１３０】
また、撮像に関する処理と、編集に関する処理という分け方をしたが、一連の処理の前半部、中間部、後半部という分け方でもよい。
【０１３１】
また、チュートリアルＩＤに更に、操作手順の進捗を示す情報を付与し、既に完了した手順についてはユーザに報知せず、次にすべき操作手順から報知するようにしてもよい。
【０１３２】
以下、操作手順の進捗を示す情報について「ＴＵＴＯＲＩＡＬ０１」のガイダンスが付与され、当該ガイダンスが１０段階の手順で構成されている場合を例に説明する。
【０１３３】
例えば、デジタルカメラにおいて、既に４段階目までの手順が報知された場合、操作手順の進捗を示す情報として、１０段階のうち４段階が報知されたことを示す「０４／１０」という情報が、操作手順の進捗を示す情報として付与される。
【０１３４】
一方、続いてＳＴＢを用いて、「ＴＵＴＯＲＩＡＬ０１」のガイダンスを報知する場合、操作手順の進捗を示す情報である「０４／１０」が付与されていると、その情報を読み込んで、４段階目より先の手順をユーザに報知する。
【０１３５】
即ち、「ＴＵＴＯＲＩＡＬ０１」の５段階目の手順からユーザに報知される。
【０１３６】
図９は、情報処理装置５００に相当するデジタルカメラのディスプレイ５０６等の具体的な例を示す図である。
【０１３７】
図９（ａ）は、ディスプレイ１０３に、複数の種類のガイダンスが一覧表示されている場合におけるデジタルカメラのディスプレイ５０６等の具体的な例を示す図である。
【０１３８】
図９（ｂ）は、ディスプレイ１０３に、パノラマ写真を取得するためのガイダンスが表示されている場合におけるデジタルカメラのディスプレイ５０６等の具体的な例を示す図である。
【０１３９】
このガイダンスが報知された場合に、撮像された画像には、パノラマ写真を取得するためのガイダンスに対応するチュートリアルＩＤが付与される。
【０１４０】
図１０は、情報処理装置５００を用いて、パノラマ写真を取得するためのガイダンスに対応するチュートリアルＩＤが付与された画像を取り込んだ場合に、ディスプレイ５０６に表示されるガイダンスである。
【０１４１】
このガイダンスは、パノラマ写真を取得するための一連の手順において、撮像された画像を編集する手順を報知するものである。
【０１４２】
これによって、チュートリアルデータを読み取り可能な他の機器においてもガイダンスを実行することが可能となる。
【０１４３】
また、ユーザが所望する画像を得るための手順の進捗に応じて、必要なガイダンスのみを報知することが可能となる。
【０１４４】
（第２の実施例）
第１の実施例では、ガイダンスが報知された場合に撮像された画像に対して、チュートリアルＩＤを付与するとしたが、チュートリアルＩＤを付与する画像は、以下のような場合に撮像された画像でもよい。
【０１４５】
即ち、ガイダンスの報知が開始された時点から、デジタルカメラの電源がＯＦＦにされるか、別のガイダンスが報知された時点までに撮像された画像でもよい。
【０１４６】
また、ガイダンスの報知が開始された時点から、一定時間（例えば、３０分とする）経過した時点までに撮像された画像でもよい。
【０１４７】
これによって、１回撮像する毎にガイダンスを報知せずに、撮像した画像にチュートリアルＩＤを付与することが可能となる。
【０１４８】
（第３の実施例）
これまでの実施例では、テーブルに画像を表すデータとチュートリアルＩＤとを対応付けて記憶させる例を説明してきた。
【０１４９】
しかし、チュートリアルＩＤは、画像を表すデータのメタデータとして記憶させることも可能である。例えば、画像を撮像した際に、関連付けるべきチュートリアルＩＤを、画像のＥｘｉｆ領域に格納することが可能である。
【０１５０】
これにより、画像と利用したチュートリアルＩＤが単一のファイルに保持することが可能となり、データの管理が容易になる。
【０１５１】
また、チュートリアルＩＤに替えて、操作の手順を示すガイダンスに相当するテキストデータを画像のＥｘｉｆ領域に格納させてもよい。
【０１５２】
また、チュートリアルＩＤに替えて、取得制御部５０１が取得可能な文字列等によって構成されるコードを画像のＥｘｉｆ領域に格納させてもよい。
【０１５３】
（第４の実施例）
図１１は、デジタルカメラからＳＴＢに画像データの転送する場合に、デジタルカメラとＳＴＢの少なくとも一方のディスプレイに表示される画面である。
【０１５４】
上記の画面はダイアログ１１０１で構成される。
【０１５５】
従来、データを転送する場合に表示されるダイアログには、データの転送状況（１１０４）とインジケータとが示されていた。
【０１５６】
しかし、本実施例においては、更に、取り込み中の画像（１１０２）とその画像を撮像する際に利用したガイダンス（１１０３）とが表示される。
【０１５７】
これにより、画像の転送している時間に、ユーザは操作の手順を復習することが可能となる。
【０１５８】
（第５の実施例）
本実施例においては、図１２のように、アニメーション（１２０２）や音声出力機能（１２０４）を用いたガイダンスをする。
【０１５９】
これによって、多様な態様で、ユーザに操作の手順を報知することが可能となる。
【０１６０】
（第６の実施例）
本実施例においては、図１２のように、ガイダンスに従って操作することによって、どの部分が改善されるか報知をする。
【０１６１】
ガイダンスに従った場合と、ガイダンスに従わなかった場合の差異を確認することが可能となる。
【０１６２】
（第７の実施例）
本実施例においては、画像を表すデータに付与されたチュートリアルＩＤをキーに、Ｗｅｂに存在するのコンテンツにアクセスする機能を有する。
【０１６３】
例えば、撮像時に「花火を撮る」というガイダンスを実行して撮像した画像から、「花火を撮る」に関連したＷｅｂページに移動できるアプリケーションを備える。
【０１６４】
これによって、操作の手順を確認したり、操作の手順を変更したりすることが可能となる。
【０１６５】
（第８の実施例）
本実施例においては、ガイダンスに含まれる撮像パラメータ、アングル等と、撮像された画像の撮像パラメータ、アングル等が予め設定された閾値を越えているか否か判断する機能を有する。
【０１６６】
更に、閾値を越えている場合、ガイダンスに従って操作されなかったと判断して、撮像された画像を表すデータにチュートリアルＩＤを対応付けない。
【０１６７】
これによって、ガイダンスに沿った操作が行われた場合に撮像された画像を効率良く検出することが可能となる。
【０１６８】
（第９の実施例）
また、本発明の目的は、以下の処理を実行することによって達成される。
【０１６９】
即ち、前述した実施例の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１７０】
この場合、記憶媒体から読み出されたプログラムコード自体が前述した実施例の機能を実現することになり、そのプログラムコード及び該プログラムコードを記憶した記憶媒体は本発明を構成することになる。
【０１７１】
また、プログラムコードを供給するための記憶媒体としては、次のものを用いることができる。
【０１７２】
例えば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。
【０１７３】
または、ネットワークを介してプログラムコードをダウンロードしてもよい。
【０１７４】
また、コンピュータが読み出したプログラムコードを実行することにより、上記実施例の機能が実現される場合も本発明に含まれる。
【０１７５】
加えて、そのプログラムコードの指示に基づき、コンピュータ上で稼動しているＯＳ（オペレーティングシステム）等が実際の処理の一部または全部を行い、その処理によって前述した実施例の機能が実現される場合も含まれる。
【０１７６】
更に、前述した実施例の機能が以下の処理によって実現される場合も本発明に含まれる。
【０１７７】
即ち、記憶媒体から読み出されたプログラムコードが、コンピュータに挿入された機能拡張ボードやコンピュータに接続された機能拡張ユニットに備わるメモリに書き込まれる。
【０１７８】
その後、そのプログラムコードの指示に基づき、その機能拡張ボードや機能拡張ユニットに備わるＣＰＵ等が実際の処理の一部または全部を行う場合である。
【図面の簡単な説明】
【０１７９】
【図１】第１の実施例に係る情報処理装置の一例を示す機能ブロック図である。
【図２】情報処理装置１０１に相当するデジタルカメラの操作部（ボタン１０９）とディスプレイ１０３の具体的な例を示す図である。
【図３】画像の付加情報を管理するテーブルを示す図である。
【図４】撮像された画像にチュートリアルのＩＤ付与する処理を示すフローチャートである。
【図５】ガイダンスを実行する情報処理装置の一例を示す機能ブロック図である。
【図６】画像に付与されたチュートリアルＩＤを読み出し、ガイダンスを実行するフローチャートである。
【図７】画像を選択するアプリケーションのＧＵＩを示す図である。
【図８】複数の機器を接続して利用する情報処理システムの一例を示す機能ブロック図である。
【図９】情報処理装置５００に相当するデジタルカメラのディスプレイ５０６等の具体的な例を示す図である。
【図１０】ディスプレイ５０６に表示されるガイダンスの一例を示す図である。
【図１１】デジタルカメラからＳＴＢに画像データの転送する場合に、ディスプレイに表示される画面を示す図である。
【図１２】アニメーションや音声を用いたガイダンスを示す図である。
【符号の説明】
【０１８０】
１００  情報処理装置
１０５  撮像制御部
１０６  記憶制御部
１０８  チュートリアル制御部
１１０  出力制御部
【図１】
2010109886.tif 000003
【図２】
2010109886.tif 000004
【図３】
2010109886.tif 000005
【図４】
2010109886.tif 000006
【図５】
2010109886.tif 000007
【図６】
2010109886.tif 000008
【図７】
2010109886.tif 000009
【図８】
2010109886.tif 000010
【図９】
2010109886.tif 000011
【図１０】
2010109886.tif 000012
【図１１】
2010109886.tif 000013
【図１２】
2010109886.tif 000014